(57)【要約】【課題】電子部品実装ラインの稼動を停止させることなくローカルデータベースに記憶された電子部品の使用状況に関する情報を統合データベースへ移行する。【解決手段】バーコードリーダ２４によって読み取った対象が部品ＩＤである場合、部品情報読取り処理部１４は当該部品ＩＤが統合データベース４に移行済みであるか否かの確認を行う。そして、統合データベース４に記憶されていない場合、部品情報読取り処理部１４はローカルデータベース１３を参照し、部品ＩＤと共に当該部品ＩＤが付された供給リール２１に収納された電子部品Ｐの使用状況に関する情報を読み取って統合データベース４に登録する。【選択図】図２
2014086517.tif 000002
【特許請求の範囲】
【請求項１】
複数の実装ラインシステムと、前記複数の実装ラインシステムとの間で通信可能な統合システムを備えた電子部品実装システムであって、
前記複数の実装ラインシステムは、複数の電子部品を収納した電子部品収納体から電子部品を取り出して基板に搭載する電子部品実装装置を備えた電子部品実装ラインと、前記電子部品実装装置と接続されて電子部品の使用状況に関する情報を前記電子部品収納体単位で記憶するローカルデータベースを備えた実装ライン管理手段と、前記実装ライン管理手段に通信可能に接続されて前記電子部品収納体に付された識別情報を読み取る識別情報読取り手段を備え、
前記実装ライン管理手段は、
前記識別情報読み取り手段が読み取った前記識別情報が前記統合システムの統合データベースに記憶されていない場合に、その前記識別情報とともに当該識別情報が付された電子部品収納体に収納された電子部品の使用状況に関する情報を前記ローカルデータベースから読み取って前記統合データベースに記憶させる部品情報読取り手段を備えたことを特徴とする電子部品実装システム。
【請求項２】
さらに、前記実装ライン管理手段は、前記電子部品実装装置から送られてくる部品使用情報に基づいて前記統合データベースに記憶された部品情報を更新する部品情報更新手段を備えたことを特徴とする請求項１に記載の電子部品実装システム。
【請求項３】
前記部品情報読取り手段は、電子部品の使用状況に関する情報を前記統合データベースに記憶させる際に、前記ローカルデータベースに対して当該電子部品の使用状況に関する情報を前記統合データベースに記憶させた旨の情報を付与することを特徴とする請求項１または２に記載の電子部品実装システム。
【発明の詳細な説明】
【技術分野】
【０００１】
本発明は、複数の実装ラインシステムの間で通信可能な統合システムを備えた電子部品実装システムに関するものである。
【背景技術】
【０００２】
基板に電子部品を搭載して実装基板を生産する電子部品実装分野においては、基板の電極に半田等のペーストを供給するペースト供給装置、電極に対するペーストの付着状態を検査する外観検査装置、電子部品供給体としての供給リールに巻回されたキャリアテープをピッチ送りし、当該キャリアテープに収納された電子部品を搭載ヘッドによって取り出して基板の電極上に電子部品を搭載する電子部品搭載装置、電子部品搭載後の基板を加熱するリフロー装置等、複数の電子部品実装用装置から成る電子部品実装ラインが一般に用いられている。
【０００３】
電子部品実装ラインは一つの生産工場内で複数配備されることが多々あり、これら複数の電子部品実装ラインをＬＡＮケーブル等の通信手段を介してＣＰＵから成る管理システムと接続し、互いに通信可能とする形態のものが知られている。そして、複数の電子部品実装ライン及びこれらが接続される管理システムは、一つの実装ラインシステム（設備ベンダー）として構築される。
【０００４】
前述の実装ラインシステムを用いて実装作業を行うに際しては、電子部品の使用状況や残数等を把握するため、電子部品供給体（ここでは供給リール）毎に識別情報を付与し、管理システムを用いて管理する方法が知られている。電子部品の残数管理を例にして説明すると、管理システムが有するデータベースには各供給リールに収納された電子部品の種類や数等の部品情報が識別情報に対応して予め記憶されており、実装作業においてキャリアテープを１回ピッチ送りしたときに、データベース中に記憶されている電子部品の数を１つ減算する処理を管理システムが逐次更新することによって電子部品の残数管理がなされる。
【先行技術文献】
【特許文献】
【０００５】
【特許文献１】特開平１１−１１７４２０号公報
【発明の概要】
【発明が解決しようとする課題】
【０００６】
生産規模の拡大等により生産工場に新たな実装ラインシステムを導入し、複数の実装ラインシステム間で電子部品の残数等の部品情報の共有化を図るためには、各実装ラインシステムのデータベースを統合する必要がある。しかしながら、当該データベースの統合作業は膨大な時間がかかるとともに電子部品実装ラインの稼動を停止する必要があるため事実上困難なものであった。そのため、共通の電子部品を収納した供給リールを使用する場合であっても、一方の実装ラインシステムで使用するものとして用意された供給リールを他方の実装ラインシステムに持ち込んで使用するといった運用（供給リールの相互使用）を行うことが困難となり、本来不必要な供給リールの発注を行って無駄なコストが発生するといった問題が生じていた。このように、複数の実装ラインシステム間で部品情報が共有できないことによって、材料コストの増加及び無駄な在庫の発生を招来するのみならず、各実装ラインシステムにおける実装基板の生産効率の向上が妨げられていた。
【０００７】
そこで本発明は、電子部品実装ラインの稼動を停止させることなく、各実装ラインシステム間における電子部品の使用状況に関する情報の共有化を容易に行うことができる電子部品実装システムを提供することを目的とする。
【課題を解決するための手段】
【０００８】
本発明の電子部品実装システムは、複数の実装ラインシステムと、前記複数の実装ラインシステムとの間で通信可能な統合システムを備えた電子部品実装システムであって、前記複数の実装ラインシステムは、複数の電子部品を収納した電子部品収納体から電子部品を取り出して基板に搭載する電子部品実装装置を備えた電子部品実装ラインと、前記電子部品実装装置と接続されて電子部品の使用状況に関する情報を前記電子部品収納体単位で記憶するローカルデータベースを備えた実装ライン管理手段と、前記実装ライン管理手段に通信可能に接続されて前記電子部品収納体に付された識別情報を読み取る識別情報読取り手段を備え、前記実装ライン管理手段は、前記識別情報読取り手段が読み取った前記識別情報が前記統合システムの統合データベースに記憶されていない場合に、その前記識別情報とともに当該識別情報が付された電子部品収納体に収納された電子部品の使用状況に関する情報を前記ローカルデータベースから読み取って前記統合データベースに記憶させる部品情報読取り手段を備えた。
【発明の効果】
【０００９】
本発明によれば、電子部品収納体に収納された電子部品の使用状況に関する情報について、実装ラインシステムの稼動を停止させることなくローカルデータベースから統合データベースへの移行を行うことができる。
【図面の簡単な説明】
【００１０】
【図１】本発明の一実施の形態の電子部品実装システムの全体構成図
【図２】本発明の一実施の形態の電子部品実装システムの制御系を示す説明図
【図３】本発明の一実施の形態の電子部品実装システムにおける動作説明図
【図４】本発明の一実施の形態の電子部品実装システムにおける動作説明図
【発明を実施するための形態】
【００１１】
本発明の実施の形態について、図面を参照しながら説明する。図１において、電子部品実装システム１は基板（不図示）に電子部品Ｐ（図２参照）が実装された実装基板を製造する機能を有するものであり、通信手段としての通信ネットワーク２を介してＣＰＵから成る統合システム３と複数（ここでは２つ）の実装ラインシステム１０Ａ，１０Ｂとを通信可能に接続して構成される。統合システム３は、各実装ラインシステム１０Ａ，１０Ｂにおいて実行される各種の部品実装作業に関する情報を統合して管理する（詳細は後述する）。
【００１２】
図１において、実装ラインシステム１０Ａ，１０Ｂは通信ネットワーク１１を介してＣＰＵから成る管理システム１２と複数の電子部品実装ライン２０（ここでは３ライン）とを通信可能に接続して構成される。電子部品実装ライン２０は、半田ペーストが供給された基板に電子部品Ｐを実装するための各種の部品実装作業を行う複数の部品実装用装置から成り、上流側（図１において左側）から、基板供給装置Ｍ１、スクリーン印刷装置Ｍ２、電子部品実装装置Ｍ３、Ｍ４、リフロー装置Ｍ５、及び基板回収装置Ｍ６を直線状に基板搬送方向（Ｘ方向）に連結して構成されている。
【００１３】
基板供給装置Ｍ１は電子部品実装ライン２０の先頭に配置され、これから電子部品Ｐが搭載される基板をスクリーン印刷装置Ｍ２に供給する。スクリーン印刷装置Ｍ２は、基板の上面に形成された電極にスクリーン印刷によって半田ペーストを印刷する。電子部品実装装置Ｍ３、Ｍ４は、スクリーン印刷後の基板をスクリーン印刷装置Ｍ２から受け取り、複数の電子部品Ｐを収納した供給リール２１（図２参照）から電子部品Ｐを取り出して基板に搭載する。基板回収装置Ｍ６は、リフロー装置（不図示）から搬出された基板を回収する。
【００１４】
なお、本実施の形態における電子部品実装ライン２０では電子部品実装装置を２台備えているが、その数は任意であって少なくとも１台を含んでいればよく、部品実装用装置の構成や配置も本実施の形態に限定されるものではない。
【００１５】
次に、電子部品実装装置Ｍ３、Ｍ４にて用いられる供給リール２１について説明する。図２において、供給リール２１は基板に実装される電子部品Ｐを複数収納した電子部品収納体であって、リール本体部２１ａに複数の電子部品Ｐが直列に収納されたキャリアテープ２２を巻回して構成される。供給リール２１は、キャリアテープ２２をピッチ送りする機能を有するテープフィーダ（不図示）にセットされた状態で電子部品実装装置Ｍ３、Ｍ４の所定箇所に配置される。なお、電子部品実装装置Ｍ３、Ｍ４には複数の供給リール２１がテープフィーダを介して配置される。
【００１６】
リール本体部２１ａの表面には、供給リール２１を個別に識別するための部品ＩＤ（識別情報）を記録した記録媒体としてのバーコード２３が貼着されている。また、各実装ラインシステム１０Ａ，１０Ｂは管理システム１２と無線又は有線で接続されたバーコードリーダ２４を備えている。このバーコードリーダ２４は、供給リール２１に付されたバーコード２３を読み取る機能を有しており、読み取ったバーコード２３に関する情報（以下、「バーコード情報」と称する）を管理システム１２へ送信する。管理システム１２は、バーコードリーダ２４から送信されたバーコード情報に含まれる部品ＩＤを確認して後述する供給リール２１の管理や、電子部品実装装置Ｍ３、Ｍ４における供給リール２１の装着箇所や選択に誤りがないかをチェックする。すなわち、バーコードリーダ２４は管理システム１２に通信可能に接続されて電子部品収納体に付された識別情報を読み取る識別情報読取り手段となっている。
【００１７】
電子部品実装装置Ｍ３、Ｍ４は、テープフィーダにセットされたキャリアテープ２２をピッチ送りして電子部品Ｐを部品取出口に位置させ、当該部品取出口にて電子部品Ｐを電子部品実装装置Ｍ３、Ｍ４に備えられた搭載ヘッド（不図示）によって取り出して基板に搭載する部品実装作業を実行する。また電子部品実装装置Ｍ３、Ｍ４は、部品実装作業における稼動情報（稼働率、各種ミスの発生情報、基板の生産枚数等）、部品使用情報（電子部品の使用数や残数等）、トレース情報（当該基板が組み込まれた完成品から基板に実装された電子部品を追跡するため情報）を通信ネットワーク１１を介して管理システム１２に送信する機能を有している。なお、本明細書では電子部品実装装置Ｍ３、Ｍ４から発信されるこれらの情報を「装置発信情報」と称する。
【００１８】
次に、図２を参照して電子部品実装システム１の統合システム３について説明する。統合システム３は統合データベース４を備えている。この統合データベース４は各実装ラインシステム１０Ａ，１０Ｂからアクセス可能であり、後述する部品情報読取り処理部１４や部品情報更新処理部１５によって情報の参照や登録・更新が可能となっている。この統合データベース４は各実装ラインシステム１０Ａ、１０Ｂのローカルデータベース１３、１３に分散して記憶されていた情報を一箇所に記憶するために準備されたものであり、複数の実装ラインシステム１０Ａ、１０Ｂを有する電子部品実装システム１で取り扱う情報を一元管理するものである。
【００１９】
次に、図２を参照して電子部品実装システム１の管理システム１２について説明する。管理システム１２は電子部品実装装置Ｍ３、Ｍ４から発信される装置発信情報に含まれる各種情報を電子部品実装ライン２０毎に収集・管理するものであって、ローカルデータベース１３、部品情報読取り処理部１４及び部品情報更新処理部１５を備えている。この管理システム１２は、電子部品実装装置Ｍ３、Ｍ４から送信される装置発信情報に基づいてローカルデータベース１３に記憶されている情報を逐次更新または記憶することよって、電子部品実装装置Ｍ３、Ｍ４における部品実装作業に関する情報を管理する。
【００２０】
ローカルデータベース１３は、稼動情報、トレース情報、部品情報を記憶している。部品情報は供給リール２１単位でローカルデータベース１３に記憶されている。ここで部品情報とは、供給リール２１の部品ＩＤと共に、当該部品ＩＤが記録された供給リール２１に収納されている電子部品Ｐの種類を示す「部品種」、供給リール２１に収納された電子部品Ｐの残数を示す「数量」、供給リール２１が使用可能であるか、現在使用中であるか、使用不可であるか、又は使用済みであるかを示す「状態」、供給リール２１が配置される電子部品実装装置Ｍ３、Ｍ４を特定する情報及び電子部品実装装置Ｍ３、Ｍ４内での供給リール２１の配置箇所を示す「所在」等、供給リール２１及びその供給リール２１に収納される電子部品Ｐの使用状況に関する情報を含む。すなわち、管理システム１２は、電子部品実装装置Ｍ３、Ｍ４と接続されて電子部品の使用状況に関する情報を電子部品収納体単位で記憶するローカルデータベース１３を備えた実装ライン管理手段となっている。なお、部品情報としては少なくとも部品ＩＤと電子部品Ｐの残数を示す数量を含むものであればよい。
【００２１】
部品情報読取り処理部１４は、後述する部品情報読取り処理を実行するものであり、バーコードリーダ２４から送信されたバーコード情報に含まれる部品ＩＤと一致する部品情報について統合データベース４への移行状態を確認し、移行済みでなければローカルデータベース１３に記憶されている該当部品ＩＤの部品情報を統合データベース４に記憶する処理を実行するものである。具体的には、部品情報読取り処理部１４は、バーコードリーダ２４によって読み取った供給リール２１の部品ＩＤが統合データベース４に記憶されていないと判断した場合に、その部品ＩＤとともに当該部品ＩＤが付された供給リール２１に収納される電子部品Ｐの部品情報をローカルデータベース１３から読み取って統合システム３の統合データベース４に記憶する。
【００２２】
部品情報更新処理部１５は、電子部品実装装置Ｍ３、Ｍ４からの装置発信情報に含まれる部品使用情報に基づいて統合データベース４やローカルデータベース１３に記憶されている部品情報を更新する処理（部品情報更新処理）を実行するものである。具体的には、部品使用情報に含まれる部品ＩＤと一致する部品ＩＤの部品情報について統合データベース４への移行状態を確認し、移行済みであれば統合データベース４に記憶されている該当部品ＩＤの部品情報を更新し、移行済みでなければローカルデータベース１３に記憶されている部品情報を更新する。
【００２３】
本実施の形態における電子部品実装システム１は以上のような構成からなり、次に、複数の実装ラインシステム１０Ａ，１０Ｂのローカルデータベース１３に記憶されている部品情報を統合システム３の統合データベース４へ移行する方法について説明する。実装ラインシステム１０Ａ，１０Ｂでは、電子部品実装装置Ｍ３、Ｍ４での作業開始前における供給リール２１のセットアップ作業時、生産する実装基板の品種変更に伴う供給リール２１の入れ替え作業時、あるいは実装作業中（装置稼動中）での電子部品Ｐの消費に伴う供給リール２１の交換等の作業が日常的に行われる。
【００２４】
作業者によるこれらの作業を支援するために、実装ラインシステム１０Ａ，１０Ｂには作業対象の供給リール２１のバーコード２３をバーコードリーダ２４で読み取らせることにより、作業者に電子部品実装装置Ｍ３、Ｍ４における供給リール２１の装着箇所を指示する機能や誤った作業を行っていないか等のチェックを行う支援機能が備えられている。本発明は日常的な作業に付随して行われる供給リール２１のバーコード読み取りをトリガーにローカルデータベース１３に記憶されている部品情報を統合データベース４へ移行する処理を行うことを特徴とするものである。
【００２５】
以下、図３を参照して部品情報読み取り処理部１４による部品情報読み取り処理動作について説明する。まず、管理システム１２はバーコードリーダ２４によるバーコードの読み取りが行われるまで待機する（ＳＴ１のバーコード読み取り待機工程）。そして、作業員がバーコードリーダ２４で供給リール２１に貼着したバーコード２３を読み取ると、バーコードリーダ２４からバーコード情報が管理システム１２へ送信される。そして、バーコード情報に部品ＩＤが含まれるか否かの確認が部品情報読取り処理部１４によってなされ（ＳＴ２の部品ＩＤ確認工程）、部品ＩＤが含まれていないと判断した場合には作業員に対してエラーが発生した旨の報知を行う（ＳＴ３のエラー報知工程）。
【００２６】
次に、部品ＩＤが含まれていると判断した場合には、部品情報読取り処理部１４は当該部品ＩＤが統合データベース４に移行済みであるか否かの確認を行う（ＳＴ４の移行状態確認工程）。つまり、部品情報読取り処理部１４は統合データベース４を参照することによって読み取った部品ＩＤが統合データベース４に記憶されているか否かを判断する。そして、統合データベース４に記憶されていない場合、部品情報読取り処理部１４はローカルデータベース１３を参照し、当該部品ＩＤが付された部品情報を読み取る（ＳＴ５のローカルデータベース参照工程）。
【００２７】
そして、部品情報読取り処理部１４は読み取った部品情報に移行元の実装ラインシステム（「移行ベンダー」）に関する情報を付加して統合システム３の統合データベース４に登録する（ＳＴ６の統合データベース登録工程）。これにより、読み取った供給リール２１に関する部品情報が統合データベース４に移行される。このように、部品情報読取り処理部１４は、識別情報読取り手段が読み取った識別情報が統合システム３の統合データベース４に記憶されていない場合に、その識別情報とともに当該識別情報が付された電子部品収納体に収納された電子部品の使用状況に関する情報をローカルデータベース１３から読み取って統合データベース４に記憶させる部品情報読取り手段となっている。
【００２８】
次に、部品情報読取り処理部１４はローカルデータベース１３に記憶された移行対象の部品ＩＤに対してその旨を示す情報（移行フラグ（図２参照））を付与する（ＳＴ７の移行済み表示付与工程）。
【００２９】
一方、（ＳＴ４）において、バーコードリーダ２４によって読み取った部品ＩＤが統合データベース４に記憶されている（既に移行済みである）場合、管理システム１２は統合データベース４を参照して当該統合データベース４に記憶された部品ＩＤ及び当該部品ＩＤに対応する電子部品Ｐの使用状況に関する情報を読み取る（ＳＴ８の統合データベース参照工程）。なお、バーコードリーダ２４によって読み取った部品ＩＤが既に統合データベース４に記憶されている場合としては、いずれかの実装ラインシステムにて（ＳＴ６）の統合データベース登録工程、すなわち統合データベース４へのデータ移行が既に完了している場合が挙げられる。
【００３０】
また、（ＳＴ４）において、読み取った部品ＩＤが統合データベース４のみならずローカルデータベース１３にも記憶されていない場合には、管理システム１２は作業員に対してその旨の報知を行う（ＳＴ９の報知工程）。そして、読み取った部品ＩＤが誤って記憶されていないものであった場合、作業員によって部品ＩＤ及び当該部品ＩＤが付された供給リール２１に収納された電子部品Ｐの部品情報をローカルデータベース１３及び統合データベース４に登録する新規登録作業を行う。
【００３１】
以上説明した部品情報読み取り処理動作を実行することにより、既存の管理システム１２に部品情報読取り処理部１４を付加するだけの簡易な構成で各実装ラインシステム１０Ａ，１０Ｂのローカルデータベース１３、１３に記憶されている部品情報を統合データベース４へ移行することができる。これにより、各実装ラインシステム１０Ａ，１０Ｂで使用される供給リール２１及び当該供給リール２１に収納される電子部品Ｐの使用状況に関する情報を、統合システム３上で共有化することができる。
【００３２】
また、この方法によれば作業者が日常的な作業を行うだけでデータ移行が行われるので、複数の実装ラインシステム１０Ａ，１０Ｂの稼動を停止させる必要がなく、また実装基板の生産効率を低下させることなく電子部品Ｐの使用状況に関する情報の共有化を図ることができる。しかも、実装ラインシステム１０Ａ，１０Ｂで使用する必要な供給リール２１に関する情報を統合データベース４に移行するので、使用機会のなくなった古い供給リール２１や電子部品が空になった供給リール２１についての情報を移行することによる人的・設備的コストを削減できるといった効果も期待できる。
【００３３】
次に、図４を参照して部品情報の更新処理動作（部品情報更新処理動作）について説明する。部品情報更新処理部１５は、電子部品実装装置Ｍ３、Ｍ４から送られてくる装置発信情報に含まれる部品使用情報に基づいて統合データベース４やローカルデータベース１３に記憶されている部品情報を更新する処理を実行するものである。具体的には、部品使用情報に含まれている部品ＩＤと一致する部品ＩＤが付与された部品情報について統合データベース４への移行状態を確認し、移行済みであれば統合データベース４に記憶されている該当部品ＩＤの部品情報を更新し、移行済みでなければローカルデータベース１３の当該部品ＩＤの部品情報を更新する。
【００３４】
まず、管理システム１２は電子部品実装装置Ｍ３、Ｍ４から発信される装置発信情報を受信する（ＳＴ１０の装置発信情報受信工程）。次に、部品情報更新処理部１５は管理システム１２によって受信した装置発信情報に含まれる部品使用情報を抽出し、部品使用情報に含まれる部品ＩＤを確認する（ＳＴ１１の部品ＩＤ確認工程）。そして、確認した部品ＩＤが統合データベース４に移行済みであるか否か（統合データベース４に記憶されている否か）を確認する（ＳＴ１２の移行状態確認工程）。
【００３５】
そして、（ＳＴ１２）にて移行がされていないと判断した場合、部品情報更新処理部１５はローカルデータベース１３に記憶されている当該部品ＩＤの部品情報を装置発信情報に基づいて更新する（ＳＴ１３のローカルデータベース更新処理工程）。すなわち、部品情報更新処理部１５はローカルデータベース１３に記憶されている更新対象の電子部品Ｐの数量（残数）から、供給リール２１から取り出された電子部品Ｐの使用数を減ずる処理を実行することによって、ローカルデータベース１３に記憶されている更新対象の電子部品Ｐの数量を更新する。
【００３６】
一方、（ＳＴ１２）にて移行がされていると判断した場合、部品情報更新処理部１５は装置発信情報に基づいて統合データベース４に記憶されている当該部品ＩＤの部品情報を更新する（ＳＴ１４の統合データベース更新工程）。なお、このときローカルデータベース１３に記憶されている当該部品ＩＤの部品情報を併せて更新してもよい。このように、部品情報更新処理部１５は、電子部品実装装置Ｍ３、Ｍ４から送られてくる部品使用情報に基づいて統合データベース４に記憶された部品情報を更新する部品情報更新手段となっている。
【００３７】
このように本実施の形態の電子部品実装システム１によれば、複数の実装ラインシステム１０Ａ，１０Ｂ間での供給リール２１及びその供給リール２１に収納された電子部品Ｐの使用状況（例えば前述した電子部品Ｐの残数）に関する情報を統合システム３上で容易に共有化することができる。したがって、供給リール２１に収納される電子部品Ｐの残数を正確に把握した状態で、複数の実装ラインシステム１０Ａ，１０Ｂ間で共通に使用可能な電子部品を収納した供給リール２１を相互に使用することができる。
【００３８】
また、各実装ラインシステム１０Ａ，１０Ｂの稼動を停止させることなく部品情報の移行を行うことができるので、実装基板の生産効率を損なうことがない。また、日常的な作業に付随する形で徐々に部品情報の移行を行うことができるので、移行のための人的負担が新たに発生することがない。さらに、統合データベース４には実装ラインシステム１０Ａ，１０Ｂにて使用される供給リール２１に関する情報のみが記憶・更新されるので、部品実装作業で使用機会のなくなった古い供給リール２１や部品切れとなった供給リール２１等の不要な部品情報を移行しないので統合データベース４の記憶領域のスリム化を図ることができる。
【００３９】
その他、本実施の形態では供給リール２１を電子部品収納体として説明したが、上面が開口した箱状の容器（トレイ）に複数の電子部品を収納したトレイフィーダ（不図示）を電子部品収納体として用いてもよい。かかる場合、トレイの所望箇所に部品ＩＤを記録したバーコードを貼着し、上記説明した工程を経ることによって、複数の実装ラインシステム間におけるトレイフィーダに収納された電子部品の使用状況に関する情報の共有化を統合システム３上で実現することができる。
【産業上の利用可能性】
【００４０】
本発明の電子部品実装システムによれば、複数の実装ラインシステム間における電子部品の使用状況に関する情報を簡易な構成で容易に共有化することができ、基板に電子部品を実装して実装基板を製造する電子部品実装分野において有用である。
【符号の説明】
【００４１】
１  電子部品実装システム
２  通信ネットワーク
３  統合システム
４  統合データベース
１０Ａ、１０Ｂ  実装ラインシステム
１２  管理システム
１３  ローカルデータベース
１４  部品情報読取り処理部
１５  部品情報更新処理部
２０  電子部品実装ライン
２１  供給リール
２４  バーコードリーダ
Ｍ３，Ｍ４  電子部品実装装置
Ｐ  電子部品
【図１】
2014086517.tif 000003
【図２】
2014086517.tif 000004
【図３】
2014086517.tif 000005
【図４】
2014086517.tif 000006